(57)【要約】【課題】地面に差し込む差込部と、ゴルフボールを載せる載置部とからなる簡易構造のゴルフティーにおいて、特に、ティーショットの際、ティーが折れたり、紛失したりすることがないゴルフティーを提供する。【解決手段】地面に差し込む差込部２と、ゴルフボールを載せる載置部３とからなるゴルフティーである。このゴルフティー１は差込部２を硬質部材とし、載置部３を柔軟性部材とする。差込部２は硬質樹脂で、載置部３は、差込部２より柔軟性を有する軟質樹脂もしくは軟質ゴムで形成することが好ましい。【選択図】図１
0003164074.tif 000002
【実用新案登録請求の範囲】
【請求項１】
地面に差し込む差込部と、ゴルフボールを載せる載置部とからなるゴルフティーにおいて、前記差込部を硬質部材とし、前記載置部を柔軟性部材としたことを特徴とするゴルフティー。
【請求項２】
前記差込部が、硬質樹脂で形成されている請求項１記載のゴルフティー。
【請求項３】
前記載置部が、軟質樹脂で形成されている請求項１記載のゴルフティー。
【請求項４】
前記載置部が、軟質ゴムで形成されている請求項１記載のゴルフティー。
【考案の詳細な説明】
【技術分野】
【０００１】
本考案は、ゴルフのティーショットの際、ティーが折れたり、紛失したりすることがないゴルフティーに関する。
【背景技術】
【０００２】
ゴルフでティーショットをする際、通常、ゴルフボールをティーに載せた状態でゴルフクラブで打つ。一般的なティーは、地面に差し込む差込部と、ゴルフボールを載せる載置部とからなり、全体が一体的に形成された木製やプラスチック製のものが多く使用されている。
【０００３】
しかし、木製やプラスチック製で形成されたティーは、打球の際、クラブヘッドの打撃によりボールと一緒にティーが飛んでしまい、探すのに手間が掛かるという問題があった。また、ティー自体も強打されるので、割れて使えなくなることもあった。そのため、ゴルフプレーの最中に複数のティ−を持ち歩く必要があった。
【０００４】
これらの問題を解消するために、特許文献１では１つのティーで高さ調節が自在にでき、横方向の打撃を受けたときにも、打撃力に対する抵抗が弱められ、かつ、ティーが飛ばされてしまう可能性が少ないゴルフ用ティーが報告されている。
【０００５】
上掲特許文献１に記載されたゴルフ用ティーは、先端が先細になり、他端側に横方向に張り出したフランジが形成された脚部と、前記フランジから前記先端とは反対方向に延びる支持軸部とからなるティー本体と、一端にボール受け部が形成され、前記ティー本体の前記支持軸部に係合する軸方向孔を有するボール受け部材と、からなり、前記ティー本体の前記支持軸部には外面に雄ねじが形成され、前記ボール受け部材の前記軸方向孔には、前記ティー本体の前記支持軸部の雄ねじにねじ係合する雌ねじが形成され、前記ボール受け部材は、ねじ係合により前記ティー本体の前記支持軸部に対し軸線方向の無段階的に異なる位置に保持できるようになっている。
【先行技術文献】
【特許文献】
【０００６】
【特許文献１】特開２０１０−６９０４３号公報（特許請求の範囲等）
【考案の概要】
【考案が解決しようとする課題】
【０００７】
しかしながら、上掲特許文献１のゴルフ用ティーは、構造が複雑で製造工程が多くなるため、コストアップに繋がるという問題があった。また打球の際、クラブヘッドの打撃によっては、ティー本体が脚部から飛ばされてしまうことも懸念され、その場合にはティー本体を探して再度脚部に装着させなければならず、プレーの最中に時間をロスすることにもなりかねなかった。
【０００８】
そこで本考案の目的は、地面に差し込む差込部と、ゴルフボールを載せる載置部とからなる簡易構造のゴルフティーにおいて、特に、ティーショットの際、ティーが折れたり、紛失したりすることがないゴルフティーを提供することにある。
【課題を解決するための手段】
【０００９】
上記課題を解決するために、本考案のゴルフティーは、地面に差し込む差込部と、ゴルフボールを載せる載置部とからなるゴルフティーにおいて、前記差込部を硬質部材とし、前記載置部を柔軟性部材としたことを特徴とする。
【００１０】
本考案のゴルフティーにおいては、前記差込部は、好ましくは硬質樹脂で形成されている。
【００１１】
また、前記載置部は、好ましくは柔軟性を有する軟質樹脂で形成されている。
【００１２】
さらに、前記載置部を、軟質ゴムで形成してもよい。
【考案の効果】
【００１３】
本考案のゴルフティーによれば、ゴルフボールを載置部に載せた状態でゴルフクラブで打球すると、硬質部材からなる差込部はそのままの状態で、柔軟性部材からなる載置部のみが撓った状態で折れ曲がり、しかる後元の状態に復元される。そのため、ティーショットの際、ティーが折れる虞がない。
【００１４】
また差込部が硬質部材にて形成されているため、地中への差し込みが容易であるとともに、打球の際、載置部に強い衝撃を受けても地中からティーが抜け出て飛ばされることが軽減される。
【図面の簡単な説明】
【００１５】
【図１】本考案のゴルフティーの全体斜視図である。
【図２】図１に示すゴルフティーの正面図である。
【図３】図２に示すゴルフティーの断面図である。
【図４】本考案のゴルフティーの使用状態を示す側面図である。
【図５】ボールを打球した状態を示す説明図である。
【考案を実施するための形態】
【００１６】
以下、本考案のゴルフティーにおける実施の形態を図面に基づいて説明する。
【００１７】
図示する本考案の一実施形態に係るゴルフティー１は、地面に差し込む差込部２と、ゴルフボールＢを載せる載置部３とからなり、差込部２が硬質部材、載置部３が柔軟性部材で夫々構成されている。これにより、ティーショットの際、ティーが折れたり、紛失したりすることを軽減することができる。
【００１８】
本考案のゴルフティー１を構成する差込部２は、ゴルフティー１を地面に差し込みやすいように先端が先細のテーパ状に形成されている。また、載置部３は、上部が広口の漏斗状を呈しており、上部中央部分は、ゴルフボールＢを載置する凹部４が形成されている。さらに、図示例では凹部４の上部周縁には、ゴルフボールＢを良好に保持するために保持体５が複数設置されているが、保持体５は必ずしも必要ではなく、ゴルフボールＢを置くことができれば凹部４のみであってもよい。
【００１９】
図３に示すように、差込部２及び載置部３は、連結部６を介して上下が連結された状態で形成されているが、差込部２と載置部３とを充填剤や可塑剤の添加量を変えることにより一体的に形成してもよい。
【００２０】
また特に、差込部２を構成する硬質部材は、好適には硬質樹脂で形成されている。硬質樹脂の素材としては、エチレン、プロピレン、塩化ビニル、スチレン、アミド等の重合体の熱可塑性樹脂や、メラミン樹脂、フェノール樹脂、アクリル樹脂等の熱硬化性樹脂等などが挙げられる。
【００２１】
また、載置部３を構成する柔軟性部材は、差込部２より柔軟性を有する軟質樹脂で形成されている。軟質樹脂の素材としては、差込部２の硬質樹脂より可塑剤の量を多くするなどして柔らかく形成されたポリオレフィン系樹脂、エステル系樹脂、ポリウレタン系樹脂、ポリアミド系樹脂等が挙げられる。
【００２２】
さらに、載置部３を差込部２より柔軟性を有する軟質ゴムで形成してもよい。軟質ゴムとしては、フッ素ゴム、シリコーンゴム、ウレタンゴム、ブチルゴム等の合成ゴムや天然ゴムを挙げることができる。
【００２３】
なお、載置部３を形成する柔軟性部材は、差込部２より柔軟性を有する素材であり、打球時に撓った状態で折れ曲がるものであれば、上記の素材に限定されるものではない。
【００２４】
ゴルフティー１の成形の一例としては、先ず、硬度が高い硬質部材にて差込部２を形成する。この際、載置部３との連結を高めるために、例えば、差込部２の上部に凹凸状の連結材７を形成する。
【００２５】
次に、差込部２の上部に、柔軟性を有する柔軟性部材からなる載置部３を連結する。この際、インサート成形により、差込部２の上部に柔軟性部材を注入して載置部３を好適に形成することができる。尚、かかるゴルフティー１を地中に差し込む際には、この連結材７も地中側とすることが折れ防止のため好ましい。あるいは、上述したように、差込部２と載置部３とを充填剤や可塑剤の添加量を変えることにより一体的に形成してもよい。
【００２６】
差込部２を硬質部材とし、載置部３を柔軟性部材としたことで、ゴルフボールＢを載置部３に載せた状態からゴルフクラブで打球すると、柔軟性部材からなる載置部３が撓った状態で折れ曲がった後、元の状態に復元されるため、ティーショットの際、ティーが折れる虞がない。
【００２７】
また、差込部２が硬質部材にて形成されているため、地中への差し込みが容易であるとともに、打球の際、載置部３に強い打撃を受けても、その力は載置部３で吸収され、差込部２が地中から抜け出て飛ばされることもない。
【００２８】
次に、本考案のゴルフティーの使用方法を図４及び図５に基づいて説明する。
【００２９】
図４においては、ゴルフティー１の差込部２を地面に差し込んだ状態を示す。図示するように、差込部２の全体と載置部３の下部が地中に埋め込まれた状態となることが好ましい。差込部２を地面に差し込んだ後、載置部３にゴルフボールＢを載せる。この状態で通常のティーショットのように、ゴルフクラブにてゴルフボールＢを打球する。
【００３０】
図５においては、ゴルフクラブにてゴルフボールＢを打球した直後の状態を示す。ゴルフクラブで打球すると、ゴルフボールＢは前方に打ち出され、同時にゴルフティー１の載置部３も前方に打撃される。すると、柔軟性部材にて形成された載置部３は、撓った状態で折れ曲がった後、元の状態に復元される。そのため、ゴルフクラブによる強い衝撃を受けても、載置部３がその力を吸収することができる。よって、硬質部材にて形成されている差込部２が地中から抜け出て飛ばされたり折れたりすることがない。
【００３１】
上述の如く、本考案のゴルフティーによれば、地面に差し込む差込部２と、ゴルフボールＢを載せる載置部３とからなり、差込部２を硬質部材とし、載置部３を差込部２より柔軟性を有する柔軟性部材としたことで、ゴルフボールＢをゴルフクラブで打球しても、載置部３が折れたり粉砕したりすることがなく、さらに、差込部２が地中から抜け出たり折れたりすることもない。このため、プレーの最中に複数のティーを持ち歩く必要がなく、またティーを探す手間も省くとこができる。
【符号の説明】
【００３２】
１  ゴルフティー
２  差込部
３  載置部
４  凹部
５  保持体
６  連結部
７  連結材
Ｂ  ゴルフボール
【図１】
0003164074.tif 000003
【図２】
0003164074.tif 000004
【図３】
0003164074.tif 000005
【図４】
0003164074.tif 000006
【図５】
0003164074.tif 000007